【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
ワイヤレス通信システムにおいて通信を管理するための方法であって、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、ここにおいて、前記１つまたは複数の性能統計は、前記アクセスポイント間通信リンクのローディングまたは利用に関する少なくとも１つの統計を備える、
前記受信された性能統計に少なくとも部分的に基づいて、前記第１のアクセスポイントおよび前記第２のアクセスポイントを介したモバイルデバイスへのまたはそれからの通信を管理することと
を備える方法。
【請求項２】
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、請求項１に記載の方法。
【請求項３】
前記１つまたは複数の性能統計を受信することは、
前記モバイルデバイスおよび前記第２のアクセスポイントのうちの少なくとも１つについての１つまたは複数の性能統計を受信すること
を備える、請求項１に記載の方法。
【請求項４】
通信を管理することは、
前記モバイルデバイスが前記第１のアクセスポイントに知られているかまたはそれと通信状態にあるときに、１つまたは複数のデータフローの少なくとも一部を前記第２のアクセスポイントから前記第１のアクセスポイントに切り替えるかどうかを決定するために前記１つまたは複数の性能統計を使用すること
を備える、請求項１に記載の方法。
【請求項５】
通信を管理することは、
前記モバイルデバイスが前記第１のアクセスポイントと通信状態にあるときに、１つまたは複数のデータフローの少なくとも一部を前記第１のアクセスポイントから前記第２のアクセスポイントに切り替えるかどうかを決定するために前記１つまたは複数の性能統計を使用すること
を備える、請求項１に記載の方法。
【請求項６】
前記１つまたは複数の性能統計を報告するよう求める要求を、前記第２のアクセスポイントに送信すること
をさらに備える、請求項１に記載の方法。
【請求項７】
前記要求は、周期的にかまたはイベントトリガが発生したときにかのいずれかに前記１つまたは複数の性能統計を報告する命令を備える、請求項６に記載の方法。
【請求項８】
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
請求項７に記載の方法。
【請求項９】
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、請求項１に記載の方法。
【請求項１０】
前記１つまたは複数の性能統計は、前記モバイルデバイスと前記第２のアクセスポイントとの間のチャネル情報、および少なくとも１つのアクセスポイントについての前記モバイルデバイスによって測定された信号品質に関する統計のうちの少なくとも１つを備える、請求項１に記載の方法。
【請求項１１】
ワイヤレス通信システムにおいて通信を管理するための装置であって、
第１のアクセスポイントと第２のアクセスポイントとの間にアクセスポイント間通信リンクを確立するための手段と、
前記アクセスポイント間通信リンクを介して前記第２のアクセスポイントから１つまたは複数の性能統計を、前記第１のアクセスポイントにおいて受信するための手段と、ここにおいて、前記１つまたは複数の性能統計は、前記アクセスポイント間通信リンクのローディングまたは利用に関する少なくとも１つの統計を備える、
前記受信された性能統計に少なくとも部分的に基づいて、前記第１のアクセスポイントおよび前記第２のアクセスポイントを介したモバイルデバイスへのまたはそれからの通信を管理するための手段と
を備える装置。
【請求項１２】
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、請求項１１に記載の装置。
【請求項１３】
前記１つまたは複数の性能統計を受信するための前記手段は、
前記モバイルデバイスおよび前記第２のアクセスポイントのうちの少なくとも１つについての１つまたは複数の性能統計を受信するための手段
を備える、請求項１１に記載の装置。
【請求項１４】
前記１つまたは複数の性能統計を報告するよう求める要求を、前記第２のアクセスポイントに送信するための手段
をさらに備える、請求項１１に記載の装置。
【請求項１５】
コンピュータ上で実行されると、請求項１−１０のうちのいずれか一項に記載の方法を実行するための命令を備えるコンピュータプログラム。
【手続補正２】
【補正対象書類名】明細書
【補正対象項目名】０１００
【補正方法】変更
【補正の内容】
【０１００】
[0110]  本開示の先の説明は、当業者が本開示を実行または使用することを可能にするために提供される。本開示に対する様々な修正は当業者には容易に明らかであり、本明細書で定義された包括的な原理は、本開示の精神または適用範囲から逸脱することなく、他の変形に適用されうる。本開示全体を通して「例となる」または「例示的な」という用語は実例または事例を示し、述べられた例に対する何らかの選好を意図または必要としない。ゆえに、本開示は本明細書で説明された例および設計に限定されるべきではなく、本明細書に開示された原理および新規な特徴と合致する最も広い範囲が与えられるべきである。
以下に本願発明の当初の特許請求の範囲に記載された発明を付記する。
［Ｃ１］
ワイヤレス通信システムにおいて通信を管理するための方法であって、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記受信された性能統計に少なくとも部分的に基づいて、前記第１のアクセスポイントおよび前記第２のアクセスポイントを介したモバイルデバイスへのまたはそれからの通信を管理することと
を備える方法。
［Ｃ２］
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、Ｃ１に記載の方法。
［Ｃ３］
前記１つまたは複数の性能統計を受信することは、
前記モバイルデバイスおよび前記第２のアクセスポイントのうちの少なくとも１つについての１つまたは複数の性能統計を受信すること
を備える、Ｃ１に記載の方法。
［Ｃ４］
通信を管理することは、
前記モバイルデバイスが前記第１のアクセスポイントに知られているかまたはそれと通信状態にあるときに、１つまたは複数のデータフローの少なくとも一部を前記第２のアクセスポイントから前記第１のアクセスポイントに切り替えるかどうかを決定するために前記１つまたは複数の性能統計を使用すること
を備える、Ｃ１に記載の方法。
［Ｃ５］
通信を管理することは、
前記モバイルデバイスが前記第１のアクセスポイントと通信状態にあるときに、１つまたは複数のデータフローの少なくとも一部を前記第１のアクセスポイントから前記第２のアクセスポイントに切り替えるかどうかを決定するために前記１つまたは複数の性能統計を使用すること
を備える、Ｃ１に記載の方法。
［Ｃ６］
前記１つまたは複数の性能統計を報告するよう求める要求を、前記第２のアクセスポイントに送信すること
をさらに備える、Ｃ１に記載の方法。
［Ｃ７］
前記要求は、周期的にかまたはイベントトリガが発生したときにかのいずれかに前記１つまたは複数の性能統計を報告する命令を備える、Ｃ６に記載の方法。
［Ｃ８］
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
Ｃ７に記載の方法。
［Ｃ９］
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、Ｃ１に記載の方法。
［Ｃ１０］
前記１つまたは複数の性能統計は、前記モバイルデバイスと前記第２のアクセスポイントとの間のチャネル情報、および少なくとも１つのアクセスポイントについての前記モバイルデバイスによって測定された信号品質に関する統計のうちの少なくとも１つを備える、Ｃ１に記載の方法。
［Ｃ１１］
前記１つまたは複数の性能統計は、前記アクセスポイント間通信リンクのローディングまたは利用に関する少なくとも１つの統計を備える、Ｃ１に記載の方法。
［Ｃ１２］
ワイヤレス通信システムにおいて通信を管理するための装置であって、
プロセッサと、
前記プロセッサと電子通信状態にあるメモリと、
前記メモリに記憶された命令と
を備え、前記命令は、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記第１のアクセスポイントおよび前記第２のアクセスポイントを介したモバイルデバイスへのまたはそれからの通信を、前記受信された性能統計に少なくとも部分的に基づいて管理することと
を行うために前記プロセッサによって実行可能である、装置。
［Ｃ１３］
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、Ｃ１２に記載の装置。
［Ｃ１４］
前記命令は、
前記モバイルデバイスおよび前記第２のアクセスポイントのうちの少なくとも１つについての１つまたは複数の性能統計を受信することと
を行うために前記プロセッサによって実行可能である、Ｃ１２に記載の装置。
［Ｃ１５］
前記命令は、
前記モバイルデバイスが前記第１のアクセスポイントに知られているかまたはそれと通信状態にあるときに、１つまたは複数のデータフローの少なくとも一部を前記第２のアクセスポイントから前記第１のアクセスポイントに切り替えるかどうかを決定するために前記１つまたは複数の性能統計を使用すること、
を行うために前記プロセッサによって実行可能である、Ｃ１２に記載の装置。
［Ｃ１６］
前記命令は、
前記モバイルデバイスが前記第１のアクセスポイントと通信状態にあるときに、１つまたは複数のデータフローの少なくとも一部を前記第１のアクセスポイントから前記第２のアクセスポイントに切り替えるかどうかを決定するために前記１つまたは複数の性能統計を使用すること
を行うために前記プロセッサによって実行可能である、Ｃ１２に記載の装置。
［Ｃ１７］
前記命令は、
前記１つまたは複数の性能統計を報告するよう求める要求を前記第２のアクセスポイントに送信すること
を行うために前記プロセッサによって実行可能である、Ｃ１２に記載の装置。
［Ｃ１８］
前記要求は、周期的にかまたはイベントトリガが発生したときにかのいずれかに前記１つまたは複数の性能統計を報告する命令を備える、Ｃ１７に記載の装置。
［Ｃ１９］
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
Ｃ１８に記載の装置。
［Ｃ２０］
前記１つまたは複数の性能統計は、前記モバイルデバイスによる無線リソース使用量、パケットの伝送遅延、前記モバイルデバイスへのまたはそれからのサーブドスループットを示す統計のうちの少なくとも１つを備える、Ｃ１２に記載の装置。
［Ｃ２１］
前記１つまたは複数の性能統計は、前記モバイルデバイスと前記第２のアクセスポイントとの間のチャネル情報、および少なくとも１つのアクセスポイントについての前記モバイルデバイスによって測定された信号品質に関する統計のうちの少なくとも１つを備える、Ｃ１２に記載の装置。
［Ｃ２２］
前記１つまたは複数の性能統計は、前記アクセスポイント間通信リンクのローディングまたは利用に関する少なくとも１つの統計を備える、Ｃ１２に記載の装置。
［Ｃ２３］
ワイヤレス通信システムにおいて通信を管理するための装置であって、
第１のアクセスポイントと第２のアクセスポイントとの間にアクセスポイント間通信リンクを確立するための手段と、
前記アクセスポイント間通信リンクを介した前記第２のアクセスポイントから１つまたは複数の性能統計を、前記第１のアクセスポイントにおいて受信するための手段と、
前記受信された性能統計に少なくとも部分的に基づいて、前記第１のアクセスポイントおよび前記第２のアクセスポイントを介したモバイルデバイスへのまたはそれからの通信を管理するための手段と
を備える装置。
［Ｃ２４］
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、Ｃ２３に記載の装置。
［Ｃ２５］
前記１つまたは複数の性能統計を受信するための前記手段は、
前記モバイルデバイスおよび前記第２のアクセスポイントのうちの少なくとも１つについての１つまたは複数の性能統計を受信するための手段
を備える、Ｃ２３に記載の装置。
［Ｃ２６］
前記１つまたは複数の性能統計を報告するよう求める要求を、前記第２のアクセスポイントに送信するための手段
をさらに備える、Ｃ２３に記載の装置。
［Ｃ２７］
前記要求は、周期的にかまたはイベントトリガが発生したときにかのいずれかに前記１つまたは複数の性能統計を報告する命令を備える、Ｃ２６に記載の装置。
［Ｃ２８］
前記１つまたは複数の性能統計は、前記モバイルデバイスおよび前記第２のアクセスポイントのうちの少なくとも１つについての１つまたは複数の性能統計を備え、
前記イベントトリガは、前記モバイルデバイスおよび前記第２のアクセスポイントのうちの少なくとも１つについての前記性能統計のうちの少なくとも１つが閾値を満たすと発生する、
Ｃ２７に記載の装置。
［Ｃ２９］
ワイヤレス通信システムにおいて通信を管理するためのコンピュータプログラム製品であって、前記コンピュータプログラム製品は、命令を記憶している非一時的コンピュータ可読媒体を備え、前記命令は、
第１のアクセスポイントと第２のアクセスポイントとの間にアクセスポイント間通信リンクを確立することと、
前記アクセスポイント間通信リンクを介して前記第２のアクセスポイントから１つまたは複数の性能統計を、前記第１のアクセスポイントにおいて受信することと、
前記受信された性能統計に少なくとも部分的に基づいて、前記第１のアクセスポイントおよび前記第２のアクセスポイントを介したモバイルデバイスへのまたはそれからの通信を管理することと
を行うためにプロセッサによって実行可能である、コンピュータプログラム製品。
［Ｃ３０］
前記モバイルデバイスへのまたはそれからの通信を管理することは、少なくとも、前記第１のアクセスポイントと前記第２のアクセスポイントとの間でのリソースの集中スケジューリング、キャリア割振り、またはデータフローのうちの１つまたは複数を管理することを備える、Ｃ２９に記載のコンピュータプログラム製品。